(57)【要約】【課題】真っ直ぐな形状、或いは折り曲げた形状、その他任意の形状、を保持することができる保形性を有するスライドファスナーを提供する。また、製造が容易で、安定した性能を期待できる扱いやすい保形性を有するスライドファスナーを提供する【解決手段】相互に噛み合う多数の歯を、ファスナーテープ１３、１４の側縁部に沿って列設し、それらの歯１１、１２の噛み合いとその解除をスライダー１５の移動によって行う構成を有するスライドファスナーについて、ファスナーテープ１３、１４として、スライダー１５の移動方向と平行又は直角の縦糸と横糸よりなる、平織り構造より成る基材１６を具備し、上記基材１６に、塑性変形性の折り曲げ特性を有する芯材１７を少なくとも１条、スライダー１５の移動方向に縦通し、基材１６と一体化する。【選択図】          図１
0003120630.tif 000002
【実用新案登録請求の範囲】
【請求項１】
相互に噛み合う多数の歯を、ファスナーテープの側縁部に沿って列設し、それらの歯の噛み合いとその解除をスライダーの移動によって行う構成を有するスライドファスナーであって、ファスナーテープとして、スライダーの移動方向と平行又は直角の縦糸と横糸よりなる、平織り構造の基材を有し、上記基材に、塑性変形性の折り曲げ特性を有する芯材を少なくとも１条、スライダーの移動方向に縦通し、一体化したことを特徴とする保形性を有するスライドファスナー。
【請求項２】
塑性変形性の芯材は、ポリオレフィン、ポリアミド、ポリエステル、ポリフェニレンサルファイド、ポリフェニレンオキサイドから選ばれた熱可塑性樹脂より成り、９０度折り曲げ時の戻り角が３０度以下となるように形成された、１００〜１３０００デニールの範囲にある糸状材である請求項１記載の保形性を有するスライドファスナー。
【請求項３】
芯材は、２条又は３条以上設けられ、各芯材は、相互にほぼ並行している請求項１記載の保形性を有するスライドファスナー。
【考案の詳細な説明】
【技術分野】
【０００１】
本考案は、相互に噛み合う多数の歯を、ファスナーテープの側縁部に沿って列設し、それらの噛み合いとその解除をスライダーの移動によって行う、保形性を有するスライドファスナーに関するものである。
【背景技術】
【０００２】
スライドファスナーは、例えば衣服類を初めとして、鞄、バッグ類その他非常に多くの物品に使用されている。スライドファスナーは、ファスナーエレメントなどとも呼ばれる歯を取り付けたファスナーテープを、上記した衣服類などの開閉部分に縫製、溶着等の手段によって取り付けられる。そのため、手提げ鞄やハンドバッグ類のように、開閉部分の形状が定まっている箇所に取り付けたスライドファスナーについては殆ど問題ないが、そうでない場合には次のような問題を生じる。
【０００３】
まず、ジャンパーのような衣類に使用した場合には、スライドファスナーの柔軟性により、襟元がしっかりしない、という問題がある。つまり、襟を立てたい場合には立たず、襟を折り曲げたい場合には曲げたままにならない、中途半端な状態になる傾向がある。介護用品では、できるだけ細かい手作業を省略できることが望まれるが、スライドファスナーは柔軟性により曲がりやすいため、スライダーの差し込み時に扱いにくいということがある。また、柔軟な布袋の口や、リュックサックのポケットに使用した場合にも、頼りなく物を出し入れしにくい。また、ドーム型のテントの出入り口に使用した場合、風に弱いものとなる。
【０００４】
これに対し、スライドファスナーに直線性を与えようという考案が提案されている。特開２００２−２０９６１３号は、テープ主体部に芯紐を折り込んだスライドファスナー用テープを開示しており、それにより、ファスナーエレメントを取り付けた後でテープにハッカーと称する変形の生じるのを防止しているが、芯紐は弾性により直線性を確保しているため、曲げた形状を維持することはできない。また、特開平１０−３０６２６２号に見られる補強テープをテープに張り合わせる構造の場合、工程が増え、厚さが増し、後で剥離する可能性も排除できない。
【０００５】
【特許文献１】特開２００２−２０９６１３号
【特許文献２】特開平１０−３０６２６２号
【考案の開示】
【考案が解決しようとする課題】
【０００６】
本考案は上記の点に着目して成されたもので、その課題は、例えば真っ直ぐな形状、或いは折り曲げた形状、その他任意の形状、を保持することができる保形性を有するスライドファスナーを提供することである。また、本考案の他の課題は、製造が容易で、安定した性能を期待できる扱いやすい保形性を有するスライドファスナーを提供することであ
る。
【課題を解決するための手段】
【０００７】
前記の課題を解決するため本考案は、相互に噛み合う多数の歯を、ファスナーテープの側縁部に沿って列設し、それらの歯の噛み合いとその解除をスライダーの移動によって行う構成を有するスライドファスナーであって、ファスナーテープとして、スライダーの移動方向と平行又は直角の縦糸と横糸よりなる、平織り構造の基材を有し、上記基材に、塑性変形性の折り曲げ特性を有する芯材を、少なくとも１条、スライダーの移動方向に縦通し、一体化するという手段を講じたものである。
【０００８】
本考案の保形性を有するスライドファスナーも、相互に噛み合う多数の歯を、ファスナーテープの側縁部に沿って列設し、それらの噛み合いとその解除をスライダーの移動によって行う構成を有する点において、従来のスライドファスナーと共通する。しかし、そのファスナーテープとして基材と芯材を一体化した構成を有する点において、本考案のものは従来のものと相違している。
【０００９】
本考案の保形性を有するスライドファスナーにおいて、基材は、縦糸と横糸よりなる、平織り構造を有している。また、この平織り構造は、スライダーの移動方向と平行又は直角の位置関係を取るものとする。そして、この基材には、塑性変形性の折り曲げ特性を有する芯材を、少なくとも１条、スライダーの移動方向に縦通し、一体化する。この結果、芯材は、ファスナーテープの編織時に同時に折り込むことが可能になり、ファスナーテープの平織り構造に取り込まれることになる。また、芯材は、２条又は３条以上設けることができる。複数個の芯材を設ける場合、各芯材は、相互にほぼ並行していることが望ましい。
【００１０】
ここで塑性変形性の折り曲げ特性とは、アルミ製や軟鉄製、銅合金製等の針金を折り曲げたときにも発揮されるような、折り曲げたままの状態をほぼ保つ性質を意味する。また、一旦折り曲げた後でも元の方向に曲げ戻したときには、元の形状のとおりに戻る。従って、ファスナーテープの塑性変形性の折り曲げ特性により、ファスナーテープを取り付けた衣類の襟その他の箇所等についても、その箇所の弾性又は剛性に打ち克ち、任意の形状を保って置くことができるものである。
【００１１】
本考案に係るスライドファスナーの塑性変形性の芯材には、上記した金属製のものよりも、ポリオレフィン、ポリアミド、ポリエステル、ポリフェニレンサルファイド、ポリフェニレンオキサイドから選ばれた熱可塑性樹脂より成り、９０度折り曲げ時の戻り角が３０度以下となるように形成された、１００〜１３０００デニールの範囲にある糸状材を使用する方が望ましい。この熱可塑性樹脂より成る糸状材は、特開２００４−１４３６３６号として開示されている発明のテープと同じ構成を有すると考えて良い。本考案において、戻り角とは、糸状材を直角に曲げて５分間放置したときに曲げの戻る角度を意味するものとする。芯材にこの糸状材を用いることにより、基材の曲げ戻し力に対向して、塑性変形状態を保持することが可能になる。
【００１２】
この場合、ポリエチレンをベースとする糸状材としては、軽量で、塑性変形性及び形状保持性に優れているという面から、特に高密度ポリエチレンを使用することが好ましい。無機充填材を配合することは、性能を損なわない範囲でなし得るものとする。高密度ポリエチレンとしては、エチレン単独重合体又はエチレン・α−オレフィン共重合体であって、密度が９４０ｋｇ／ｍ３、特に好ましくは９５５〜９７０ｋｇ／ｍ３、ゲル浸透クロマトグラフィ（ＧＰＣ）に基づく分子量分布が５〜２０、好ましくは６〜１５、炭素数３〜６のαオレフィン含有量が０〜２重量パーセント、好ましくは０．０５〜１．５重量パーセントのものが好適である。糸状材としての成形加工性の点から、エチレン単独重合体よりもエチレン・α−オレフィン共重合体の使用が好ましい。エチレン単独重合体又はエチレン・α−オレフィン共重合体としては、１９０℃、２１６０ｇ荷重に基づくメルトフローレートが０．１〜１．０ｇ／１０分、特に０．２〜０．５ｇ／１０分のものが好ましい。さらに、上記共重合体としては、十号構成成分であるα−オレフィンの炭素数が３〜６、特にプロピレンのものが好ましい。このようなエチレン単独重合体又はエチレン・α−オレフィン共重合体は、中低圧法において、触媒、重合温度、分子量調節材の使用などの重合条件を選択することによって、１段階で、或いは、条件の異なる複数段階で分子量の異なる重合体を製造することによって得られる。
【考案の効果】
【００１３】
本考案は上記のように構成されかつ作用するものであるから、例えば真っ直ぐな形状或いは折り曲げた形状その他任意の形状を、塑性変形性の折り曲げ特性を有する芯材によって保持することができ、従って、この保形性により、本考案のスライドファスナーを取り付けた衣類の一部等の箇所についても、一定の形状を保つことができるという効果を奏する。また、本考案によれば、製造が容易で、安定した性能を期待できる扱いやすい保形性を有するスライドファスナーを提供することができる。
【考案を実施するための最良の形態】
【００１４】
以下図示の実施形態を参照して、本考案をより詳細に説明する。図１は、本考案の保形性を有するスライドファスナー１０の一例を示しており、Ａは正面、Ｂは背面である。図中１１、１２は相互に噛み合う多数の歯、１３、１４はファスナーテープを示しており、ファスナーテープ１３、１４の側縁部に沿って多数の歯１１、１２が列設されていて、それらの噛み合いとその解除をスライダー１５の移動によって行う構成を、スライドファスナー１０は有している。
【００１５】
ファスナーテープ１３、１４は、縦糸と横糸よりなる平織り構造を有している基材１６と、塑性変形性の折り曲げ特性を有する少なくとも１条の芯材１７を、スライダー１５の移動方向に縦通し、一体化した構成を有している。図１において、縦糸はスライダー１５の移動方向、横糸はそれと直交する方向に一致しており、芯材１７は縦糸と平行に織り込まれている。
【００１６】
図１の例において、芯材１７は、８０００ｄ（デニール）の太さを有しており、それが２本、上記のようにして使用されている。これに対して、基材１６は、縦糸、横糸ともに、ポリエステル糸を使用しており、その太さは１５０ｄである。このようにして、任意の形状を保持することができるファスナーテープ１３、１４が構成されている。
【００１７】
図２ないし図５は、本考案のスライドファスナー１０における変形例を示している。図２は、芯材１７として、８０００ｄのものを１本使用した例、図３は、芯材１７として、３０００ｄのものを２本使用した例、図４は、芯材１７として、３０００ｄのものを３本使用した例、図５は、芯材１７として、１０００ｄのものを４本使用した例を夫々示している。このように、目的とする塑性変形の折り曲げ強度に応じて、芯材１７の太さと、本数を選択し、本考案のスライドファスナー１０を形成することができる。
【００１８】
さらに、本考案のスライドファスナー１０を、衣類Ｗに使用した場合の適用例を、図６に示す。図６の衣類Ｗは、スライドファスナー１０によって開閉することができる襟１８を有しており、スライダー１５を下げて、襟口を開いたときに、襟１８を折り曲げることができるが、その折り曲げ方は、丸くも、角を出すようにも、或いは襟１８を立てたままにも、その他どのようにでも、本考案のスライドファスナー１０により自由に決めることができる。
【図面の簡単な説明】
【００１９】
【図１】本考案に係る保形性を有するスライドファスナーの一例を示すもので、Ａはその正面図、Ｂは背面図。
【図２】本考案のものの変形例１を示す説明図。
【図３】本考案のものの変形例２を示す説明図。
【図４】本考案のものの変形例３を示す説明図。
【図５】本考案のものの変形例４を示す説明図。
【図６】本考案のスライドファスナーを、衣類に使用した場合の例を示す説明図。
【符号の説明】
【００２０】
１０  スライドファスナー
１１、１２  歯
１３、１４  ファスナーテープ
１５  スライダー
１６  基材
１７  芯材
１８  襟
Ｗ  衣類
【図１】
0003120630.tif 000003
【図２】
0003120630.tif 000004
【図３】
0003120630.tif 000005
【図４】
0003120630.tif 000006
【図５】
0003120630.tif 000007
【図６】
0003120630.tif 000008